(57)【要約】【課題】光源部からの直接光を低く抑えながらも、壁や床に投影される配光の輪郭をなだらかにすることができる照明器具を提供する。【解決手段】それぞれが発光ダイオード素子を有する複数の光源部３と、前記複数の光源部３のそれぞれに設けられる反射鏡を備えた反射部４と、前記複数の光源部及び前記反射部を収容する筐体部と、を備えた照明器具であって、前記反射部４は、開口縁を有し、前記開口縁の、少なくとも前記筐体部開口部側に、光を拡散する拡散部１０Ｓを具備している。【選択図】図３
2010050060.tif 000002
【特許請求の範囲】
【請求項１】
それぞれが発光ダイオード素子を有する複数の光源部と、
前記複数の光源部のそれぞれに設けられる反射鏡を備えた反射部と、
前記複数の光源部及び前記反射部を収容する筐体部と、
を備えた照明器具であって、
前記反射部は、開口縁を有し、
前記開口縁の、少なくとも前記筐体部開口部側に、光を拡散する拡散部を具備した照明器具。
【請求項２】
請求項１に記載の照明器具であって、
前記拡散部は、前記筐体部の開口部の端縁に沿って設けられた拡散板である照明器具。
【請求項３】
請求項１または２に記載の照明器具であって、
前記拡散部は、次第に拡散状態が変化するグラデーション拡散部を構成する照明器具。
【請求項４】
請求項１乃至３のいずれかに記載の照明器具であって、
前記拡散部は、前記筐体部の開口部を含むように設けられたドーナッツ状の拡散板である照明器具。
【請求項５】
請求項２乃至４のいずれかに記載の照明器具であって、
前記拡散板は、前記光源部よりも遠い表面側に拡散部を具備した照明器具。
【請求項６】
請求項１乃至５のいずれかに記載の照明器具であって、
前記筐体部の周縁部に位置する前記反射部は、その開口縁が前記光源部の略中心と前記筐体部の前記開口縁を結ぶ線分よりも前記光源部から離れる方向に伸長してなる伸長部を具備した照明器具。
【請求項７】
請求項６記載の照明器具であって、
前記反射部の伸長部は、拡散機能を有する透光性部材で構成された照明器具。
【請求項８】
請求項１乃至６のいずれかに記載の照明器具であって、
前記拡散部が、反射鏡毎に、その開口縁に沿って配置された照明器具。
【発明の詳細な説明】
【技術分野】
【０００１】
本発明は、複数の光源部と、光源部ごとに設けられた反射鏡と、複数の光源部及び反射鏡を収容する筐体部とを備えた照明器具に関する。
【背景技術】
【０００２】
天井面に形成された取付け孔に挿入して取付けられる埋込型の照明器具が広く用いられている（例えば、特許文献１参照）。特に近年では光源部に発光ダイオード素子（ＬＥＤ素子）を用いた製品が多く見られるようになってきている。図１１はこの種の照明器具５０を示す斜視図であり、図１２は図１１のＣ−Ｃ断面図である。図１１及び図１２に示すように、照明器具５０は、基板５１に実装された複数の光源部５２と、光源部５２ごとに、その光源部５２からの光を反射する反射鏡５３と、光源部５２及び反射鏡５３の周囲を覆うコーン５４とを有している。光源部５２は発光ダイオード素子を有している。反射鏡５３は、その面が放物線状に湾曲している。コーン５４は、その開口部がテーパ状に広がった円筒形状を成している。なお、コーン５４と本体５５は筐体部を構成し、コーン５４と本体５５の開口縁の位置は一致している。
【０００３】
【特許文献１】特開２００７−２６５９６１号公報
【発明の開示】
【発明が解決しようとする課題】
【０００４】
しかしながら、上述した従来の照明器具においては、グレアをカットするためにコーンを反射板開放方向に設けた場合、それぞれの反射板から放出される光が部分的にコーンでカットされるため配向輪郭がなだらかでなくなるという問題がある。即ち、図１２に示すように光源部５２のそれぞれに個別の反射構造を設けたものにおいては、グレアをカットするためにコーンを反射鏡開放方向に設けた場合、それぞれの反射鏡５３から放出される光が部分的にコーンでカットされるため、一部矩形のパターンとなってしまい、配向輪郭がなだらかでなくなり、配光が美しくないという状況になってしまう。またＬＥＤでは、蛍光体の色が配向輪郭部に分離して強調されてしまうという問題があった。
【０００５】
本発明は、前記実情に鑑みてなされたものであり、光源部からの直接光を低く抑えながらも、壁や床に投影される配光の輪郭をなだらかにすることができる照明器具を提供することを目的とする。
また、ＬＥＤを光源として用いた場合にも、蛍光体の色が配向輪郭部に分離して強調されてしまうことのない照明器具を提供することを目的とする。
【課題を解決するための手段】
【０００６】
本発明の照明器具は、それぞれが発光ダイオード素子を有する複数の光源部と、前記複数の光源部のそれぞれに設けられる反射鏡を備えた反射部と、前記複数の光源部及び前記反射部を収容する筐体部と、を備えた照明器具であって、前記反射部は、開口縁を有し、前記開口縁の、少なくとも前記筐体部開口部側に、光を拡散する拡散部を具備している。
【０００７】
上記構成によれば、光源部からの個別反射光が拡散され、器具配光の輪郭がなだらかになる。特にＬＥＤにおいては、蛍光体の色が配向輪郭部に強調されるのが抑制され、配光の形状を美しくすることが可能となる。
【０００８】
また本発明は、上記照明器具において、拡散部は、前記筐体部の開口部の端縁に沿って設けられた拡散板であるものを含む。
この構成によれば、配向輪郭が強調される領域に対して選択的に形成されるため、光量の低下を抑制しつつ、配向の形状を美しく維持することができる。
【０００９】
また本発明は、上記照明器具において、拡散部は、次第に拡散状態が変化するグラデーション拡散部を構成するものを含む。
この構成によれば、拡散により配向輪郭をぼかすことができ、配向の形状をより美しくすることができる。
【００１０】
また本発明は、上記照明器具において、拡散部は、前記筐体部の開口部を含むように設けられたドーナッツ状の拡散板であるものを含む。
この構成によれば、取付が容易で、配向輪郭が強調される領域に対して選択的に形成されるため、光量の低下を抑制しつつ、配向の形状を美しく維持することができる。
【００１１】
また本発明は、上記照明器具において、前記拡散板は、前記光源部よりも遠い表面側に拡散部を形成したものを含む。
この構成により、拡散板の光源部側の表面ではなく、光源部から遠い側の表面すなわち、開口部側に拡散処理がなされて拡散部を構成しているため、光源部にむかう外光が拡散され、光源部のイメージをぼかすことで、光源部がめだたないようにすることができる。
【００１２】
また本発明は、上記照明器具において、拡散板は、拡散パネルであるものを含む。
この構成によれば、取付が容易で、かつ配向の形状を美しく維持することができる。
【００１３】
また本発明は、上記照明器具において、拡散板は、プリズムパネルであるものを含む。
この構成によれば、取付が容易で、かつ配向の形状を美しく維持することができる。
【００１４】
また本発明は、上記照明器具において、前記筐体部の周縁部に位置する前記反射部は、その開口縁が前記光源部の略中心と前記筐体部の前記開口縁を結ぶ線分よりも前記光源部から離れる方向に伸長してなる伸長部を具備したものを含む。
この構成によれば、直接光の一部は、伸長部で反射され、筐体部で遮られることがないので、壁や床に投影される配光の形状を美しくすることが可能となる。
【００１５】
また本発明は、上記照明器具において、前記反射部の伸長部は、拡散機能を有する透光性部材で構成されたものを含む。
この構成によれば、直接光の一部は、伸長部で拡散され、柔らかな光となって出射するため、壁や床に投影される配光の形状を美しくすることが可能となる。
【００１６】
また本発明は、上記照明器具において、前記拡散部は、反射鏡毎に、その開口縁に沿って配置されたものを含む。
この構成によれば、拡散部が反射鏡毎にその開口縁に沿って、開口縁を囲むように配置されているため、さらに反射板と反射板端部表面の輝度比の低減を図ることができ、見栄えが良好でかつグレアの抑制が可能となる。
【００１７】
また本発明は、上記照明器具において、前記拡散部は、前記筐体部の開口を覆うように形成された透光性基板上に選択的に形成された拡散層パターンで構成されたものを含む。
この構成によれば、１枚のパネルをとりつけることで、光量の低下を招くことなく、直接光の一部は、拡散層パターンで良好に拡散され、柔らかな光となって出射するため、壁や床に投影される配光の形状を美しくすることが可能となる。
【発明の効果】
【００１８】
本発明は、光源部からの直接光を低く抑え、グレアを低減しつつも、壁や床に投影される配光の輪郭をぼかし、美しい配向を得ることが可能な照明器具を提供できる。
【発明を実施するための最良の形態】
【００１９】
以下、本発明を実施するための好適な実施の形態について、図面を参照して詳細に説明する。
【００２０】
（実施の形態１）
図１は、本発明の実施の形態１に係る照明器具を示す一部断面を含む構造図、図２は本実施の形態の照明器具を示す斜視図、図３は図２のＡ−Ａ線断面図である。図１乃至図３において、本実施の形態の照明器具１は、基板２に実装された複数の光源部３と、光源部３ごとに、その光源部３からの光を反射する反射部を構成する反射鏡４と、光源部３及び反射鏡４の周囲を覆うコーン５とを有しており、前記反射部は、開口縁を有し、前記開口縁の、前記筐体部開口部側、すなわち、光源部３から遠い方の側の表面に、光を拡散する拡散部１０を具備したことを特徴とするものである。他は通例の照明器具と同様であり、本体６内で基板２の後方に配設される電源基板７と、本体６の後端に設けられて電源基板７に電源を供給するための端子台８と、本体６を天井面２０に形成された取付け孔２０ａに挿入して取付けるための取付けバネ９とを有している。ここで拡散部１０は透光性のアクリル板の表面に凹凸加工をし散乱部１０Ｓを構成してなるものである。なお、コーン５と本体６は筐体部を構成する。また、コーン５と本体６の開口縁の位置は一致している。
【００２１】
光源部３は発光部として発光ダイオード素子を有するものである。コーン５はその開口部がテーパ状に広がった円筒形状を成している。反射鏡４は、その面が放物線状に湾曲している。
【００２２】
上記構成によれば、光源からの直接光は反射鏡によって反射鏡開口形状に切り取られ、投影面へ投射されるが、これが器具コーン部にて切り取られる位置関係にあった場合、一部矩形の投射パターンとなってしまい、配光が美しくないという状況になってしまうが、これを拡散部によって光を拡散させることで、配光の輪郭をなだらかにすることができる。またＬＥＤにおける蛍光体の色が配向輪郭部に強調されるのが抑制され、配光の形状を美しくすることが可能となる。このようにして、光源部３からの直接光を低く抑えながらも、壁や床に投影される配光の輪郭および形状を美しくすることが可能となる。
【００２３】
なおここで、反射鏡４と拡散部１０との間に距離Ａを持たせることでさらに効率よく拡散させることができる。また、この構成により、拡散板の光源部側の表面ではなく、光源部から遠い側の表面に拡散処理がなされて拡散部を構成しているため、光源部にむかう外光が拡散され、光源部のイメージをぼかすことで、光源部がめだたないようにすることができる。
【００２４】
以上のように本実施の形態の照明器具１によれば、反射鏡４をコーン５より奥側に配設すると共に、筐体部の開口縁（コーン５又は本体６の開口縁と同じ）に沿って拡散部１０を設けたことで、光源部３からの直接光を低く抑えながらも（即ち眩しさを低く抑えながらも）、壁や床に投影される配光の輪郭および形状を美しくすることが可能となる。
【００２５】
また、この構成によれば、透光性のアクリル板に選択的に形成された拡散パターンで拡散部を形成しているため、１枚のパネルをとりつけることで、安定した装着が可能である。また、光量の低下を招くことなく、直接光の一部は、拡散層パターンで良好に拡散され、柔らかな光となって出射するため、壁や床に投影される配光の形状を美しくすることが可能となる。
【００２６】
なお前記実施の形態では拡散部１０は、上記のように表面に凹凸を形成したもののほか、表面を白色に塗装したり、アクリル板に酸化ケイ素などの拡散粒子を分散させたものでもよい。さらに散乱物質を含む散乱テープからなる散乱部１０Ｓを貼付してもよい。さらにまた基材としてガラス板を用いてもよい。
【００２７】
（実施の形態２）
次に、本発明の実施の形態２について説明する。図４は、本発明の実施の形態２に係る照明器具を示す斜視図である。
前記実施の形態１では、筐体部の開口縁に沿って拡散部を設けたが、本実施の形態では、拡散部をグラデーション拡散部１０Ｇで構成したものである。他は前記実施の形態１と同様である。
この構造では、拡散部がグラデーション拡散となっており、拡散部と非拡散部の境界での光の切り取りによる投射光の矩形パターンが弱まるという効果を奏功する。
【００２８】
（実施の形態３）
次に、本発明の実施の形態３について説明する。図５は、本発明の実施の形態３に係る照明器具を示す要部断面図、図６はこの照明器具で用いられる拡散板１０Ｄである。
前記実施の形態１では、拡散部を透光性のアクリル板に散乱テープを貼着して構成したが、本実施の形態では、ドーナッツ状の拡散板１０Ｄによって構成し、筐体部の開口縁に沿った拡散部としている。
この構造では、透光性のアクリル板の一部に選択的に拡散部を形成するのではなく、拡散部のみを配置しているため、透光性領域の存在による、光量の減衰を低減することができる。
【００２９】
（実施の形態４）
次に、本発明の実施の形態４について説明する。図７は、本発明の実施の形態４に係る照明器具を示す要部断面図である。
前記実施の形態１乃至４では、拡散部を反射部から離間して設けたが、本実施の形態では、反射鏡の開放側部を延長し、この延長部を拡散部材４ｓで構成したことを特徴とする。
この構成によれば、別途拡散板などを設けることなしに、光源からの光が拡散部材４ｓで拡散反射され、反射鏡端部表面の輝度が増大し、反射板と反射板端部表面の輝度比の低減をはかることができ、見栄えよくかつグレアを抑制することができる。
【００３０】
（実施の形態５）
次に、本発明の実施の形態５について説明する。図８は、本発明の実施の形態５に係る照明器具を示す要部断面図である。
前記実施の形態４では、筐体周縁部の反射鏡の端部に対してのみ拡散部材４ｓからなる拡散部を設けたが、本実施の形態では、反射鏡ごとに周縁部に拡散部材４ｓを設け、筐体部の開口縁に沿った拡散部としている。
この構成によっても、反射鏡毎に拡散部を設けているため、さらに反射鏡端部表面の輝度が増大し、反射板と反射板端部表面の輝度比の低減をはかることができ、見栄えよくかつグレアを抑制することができる。
【００３１】
（実施の形態６）
次に、本発明の実施の形態６について説明する。図９は、本発明の実施の形態６に係る照明器具を示す要部模式図、図１０は、要部平面図である。
前記実施の形態５では、反射鏡毎に、反射鏡の端部を拡散部材４ｓで構成し拡散部としているが、本実施の形態では、反射鏡ごとに反射鏡の端部から離間して拡散領域（拡散部１０Ｉ）をもつ拡散板（図示せず）を設けたことを特徴とする。
前記実施の形態１と同様に透光性のアクリル板に散乱テープを貼着することで、拡散部を構成している。ここでは光源毎に透光性領域１０Ｔを設け他の領域は拡散部１０Ｉとしている。
この構成によっても、反射鏡毎に拡散部を設けているため、さらに反射鏡端部表面の輝度が増大し、反射板と反射板端部表面の輝度比の低減をはかることができ、見栄えよくかつグレアを抑制することができる。なお、ここでも図３に示した実施の形態１の拡散板と同様透光性のアクリル板に、選択的に散乱テープを貼着したり、拡散物質を添加したりするなど、散乱部のパターンを形成することで実現可能である。
【産業上の利用可能性】
【００３２】
本発明は、光源部からの直接光を低く抑えながらも、壁や床に投影される配光の輪郭および形状を美しくすることができ、天井面に形成された取付け孔に挿入して取付けられる埋込型の照明器具などへの適用が可能である。
【図面の簡単な説明】
【００３３】
【図１】本発明の実施の形態１に係る照明器具を示す一部断面を含む構造図
【図２】図１の照明器具を示す斜視図
【図３】図２のＡ−Ａ線断面図
【図４】本発明の実施の形態２に係る照明器具を示す斜視図
【図５】本発明の実施の形態３に係る照明器具を示す要部断面図
【図６】本発明の実施の形態３に係る照明器具の拡散部を示す斜視図
【図７】本発明の実施の形態４に係る照明器具を示す要部断面図
【図８】本発明の実施の形態５に係る照明器具を示す要部断面図
【図９】本発明の実施の形態６に係る照明器具における光の進行を示す説明図
【図１０】本発明の実施の形態６に係る照明器具を示す要部平面図
【図１１】従来の照明器具を示す斜視図
【図１２】図１１のＣ−Ｃ線断面図
【符号の説明】
【００３４】
１  照明器具
２  基板
３  光源部
４  反射鏡
４ｓ  拡散部材
５  コーン
６  本体
７  電源基板
８  端子台
９  取付けバネ
１０  拡散部
２０  天井面
２０ａ  取付け孔
６１  配光
【図１】
2010050060.tif 000003
【図２】
2010050060.tif 000004
【図３】
2010050060.tif 000005
【図４】
2010050060.tif 000006
【図５】
2010050060.tif 000007
【図６】
2010050060.tif 000008
【図７】
2010050060.tif 000009
【図８】
2010050060.tif 000010
【図９】
2010050060.tif 000011
【図１０】
2010050060.tif 000012
【図１１】
2010050060.tif 000013
【図１２】
2010050060.tif 000014